(57)【特許請求の範囲】
【請求項１】
ディスク状記録媒体から情報の読取りもしくは書込みを行うピックアップと、前記ディスクを回転駆動するディスク回転駆動部と、前記ピックアップをディスクの半径方向に駆動制御するピックアップ駆動部と、前記ピックアップを摺動自在に支持する支持部と、前記ディスク面に対する前記ピックアップの角度調整をするチルト調整機構部と、前記支持部と前記ピックアップ駆動部とを載置するサブ基板部と、前記サブ基板部と前記ディスク回転駆動部と前記ピックアップ駆動部とを載置する基板部とを備え、
前記支持部が一対の支持部からなり、前記支持部のうち一方は前記サブ基板部に載置されると共に、前記支持部のうち他方は前記基板部に載置されており、
前記チルト調整機構部が前記サブ基板部の角度調整と前記支持部のうち他方の角度調整をすることにより前記ピックアップのチルト調整をすることを特徴とするディスクドライブ。
【請求項２】
前記ピックアップ駆動部は、前記ピックアップと一体駆動する凸部を有する連結板バネと、前記連結板バネの凸部に係合するスクリュー状のネジ切り加工された凹部を有するリードスクリューと、リードスクリューを回転駆動するステッピングモータとを備えることを特徴とする請求項１のディスクドライブ。
【請求項３】
前記チルト調整機構部は、前記サブ基板部の前記ディスク面に対する角度調整を行うサブ基板用調整ネジと、前記支持部の他方の前記ディスク面に対する角度調整を行う支持部用調整ネジと、前記調整ネジの捩じ込み方向と反対方向に付勢する付勢バネとを備えることを特徴とする請求項１または請求項２のディスクドライブ。
【発明の詳細な説明】
【０００１】
【産業上の利用分野】
本発明は、ディスク状記録媒体から情報の読取りもしくは書込みを行うディスクドライブ装置に関し、特にディスク面に対する光ピックアップの角度を調整するチルト調整機構に関するものである。
【０００２】
【従来の技術】
従来の光ディスクドライブの構成を図２及び図３を用いて説明する。尚、図２（Ａ）は光ディスクドライブの平面図であり、図２（Ｂ）は光ディスクドライブをラインＡ−Ａ′から矢印Ｙ方向に見た断面図である。
従来、光ディスクドライブは、光ディスクに光を照射し情報の読取りもしくは書込みを行う光ピックアップ１と、光ディスクを搭載するターンテーブル２ａ
と、ターンテーブルを回転するスピンドルモータ２ｂとからなるディスク回転駆動部２と、光ピックアップ１をディスクの半径方向にキャリッジ駆動する光ピックアップ駆動部３と、光ピックアップ１を支持する一対の軸４ａ，４ｂからなる支持部と、各軸４ａ，４ｂの一端ａ，ｂの高さ調整をすることにより光ピックアップ１のチルト調整をするチルト調整機構部５と、ディスク回転駆動部２と光ピックアップ駆動部３と支持部４ａ，４ｂとを載置する基板部６とを備えている。
【０００３】
光ピックアップ駆動部３は、凸部３ａを有する連結板バネ３ｂと、連結板バネ３ｂの凸部３ａに係合するスクリュー状のネジ切り加工された凹部３ｃを有するリードスクリュー３ｄと、リードスクリュー３ｄを回転駆動するステッピングモータ３ｅを備えている。連結板バネ３ｂは、光ピックアップ１のボディ全体と一体駆動するように光ピックアップ１に取付けられたものであり、連結板バネ３ｂの凸部３ａとリードスクリュー３ｄの凹部３ｃとが係合するように、リードスクリュー３ｄに対して所定の付勢力を加えるものである。リードスクリュー３ｄ
は、図２（Ａ）における矢印±Ｙ方向に光ピックアップ１を駆動するように設置されている。
【０００４】
図３は、連結板バネ３ｂの凸部３ａとリードスクリュー３ｄの凹部３ｃとの係合を示す拡大図である。連結板バネ３ｂの凸部３ａは、リードスクリュー３ｄの凹部３ｃに係合する。リードスクリュー３ｄの回転に応じて、凹部３ｃに係合する凸部３ａは矢印±Ｙ方向に引かれる駆動力を受け、連結板バネ３ｂが駆動されるように構成されている。
【０００５】
また、光ピックアップ１を支持する支持部は、リードスクリュー３ｄに対して略平行に設けられた主軸４ａと副軸４ｂとを備えており、各軸４ａ，４ｂの一端ａ，ｂは、基板部６に対して上下動可能に取付けられている。
また、チルト調整機構部５は、各々主軸４ａ及び副軸４ｂの前記一端ａ，ｂの高さを微調整することにより、各軸４ａ、４ｂのディスク面に対する角度調整を行うものであり、主軸４ａの角度調整を行う主軸用チルト調整ネジ５ａと、副軸の角度調整を行う副軸用チルト調整ネジ５ｂと、各々主軸４ａ、副軸４ｂの前記一端ａ，ｂに設けられている付勢バネ５ｃ，５ｄとを備えている。尚、付勢バネ５ｃ，５ｄは、夫々調整ネジ５ａ，５ｂの締めつけ方向に対して反対方向に付勢するものであり、図２（Ｂ）においては各軸４ａ，４ｂを矢印＋Ｚ方向に付勢するものである。
上記の構成に於いて、チルト調整機構部５によって、支持部４の角度調整を行うことにより、光ピックアップ１のチルト調整を行っていた。
【０００６】
【発明が解決しようとする課題】
しかしながら、チルト調整のために、主軸４ａもしくは副軸４ｂの前記一端
ａ，ｂの高さや角度を変えると、それに伴なって連結板バネ３ｂのリードスクリュー３ｄに対する高さや角度も変わるため、連結板バネ３ｂがリードスクリュー３ｄに与える力（側圧）が変化することになる。
【０００７】
連結板バネ３ｂがリードスクリュー３ｄに与える側圧は、光ピックアップ駆動部の最大応答周波数を決定する一要因となっている。尚、最大応答周波数とは、一般的にステッピングモータを有する光ピックアップ駆動部の伝達可能な最大駆動力を示すものであり、光ピックアップの最大駆動速度に密接に関わるものである。図２の構成における、側圧の変化に対する最大応答周波数の関係を図４に示す。尚、図４において、横軸は側圧で、単位は力［ｇ重］であり、縦軸は最大応答周波数で、単位は一秒間当たりに入力するパルス数［ＰＰＳ］である。図４より、側圧が約２１［ｇ重］のとき最大応答周波数が最大で約１４４０［ＰＰＳ］となり、一番理想的な応答が実現されることが示されている。また、側圧が約２１［ｇ重］より大でも小でも最大応答周波数が著しく低下するとが示されている。
【０００８】
従って、上記の様な構造においては、ディスクドライブ製造時に行われるチルト調整の調整具合によって、各ディスクドライブごとにおける側圧が変化してしまい、光ピックアップの最大駆動速度が変化してしまうという問題があった。
【０００９】
本発明は上記問題点を鑑みたものであり、チルト調整機構部によって主軸
４ａ，副軸４ｂの高さを調整をしても、連結板バネとリードスクリューとの位置関係が変化しないため、側圧が変化しない光ディスクドライブを提供するものである。即ち、チルト調整機構部によって支持部の角度調整を行うことにより、光ピックアップ駆動部の最大応答周波数が影響をうけることない光ディスクドライブを提供する。
【００１０】
【課題を解決するための手段】
上記の課題を解決するためのものであり、請求項１に記載の発明は、ディスク状記録媒体から情報の読取りもしくは書込みを行うピックアップと、ディスクを回転駆動するディスク回転駆動部と、ピックアップをディスクの半径方向に駆動制御するピックアップ駆動部と、ピックアップを摺動自在に支持する支持部と、ディスク面に対するピックアップの角度調整をするチルト調整機構部と、支持部とピックアップ駆動部とを載置するサブ基板部と、サブ基板部とディスク回転駆動部とピックアップ駆動部とを載置する基板部とを備え、前記支持部が一対の支持部からなり、前記支持部のうち一方は前記サブ基板部に載置されると共に、前記支持部のうち他方は前記基板部に載置されており、前記チルト調整機構部が前記サブ基板部の角度調整と前記支持部のうち他方の角度調整をすることによりピックアップのチルト調整をすることを特徴とする。
【００１１】
また、請求項２に記載の発明は、請求項１のディスクドライブにおいて、ピックアップ駆動部は、ピックアップと一体駆動する凸部を有する連結板バネと、連結板バネの凸部に係合するスクリュー状のネジ切り加工された凹部を有するリードスクリューと、リードスクリューを回転駆動するステッピングモータとを備えることを特徴とする。
【００１３】
また、請求項３に記載の発明は、請求項１または請求項２のディスクドライブにおいて、チルト調整機構部は、サブ基板部のディスク面に対する角度調整を行うサブ基板用調整ネジと、支持部の他方のディスク面に対する角度調整を行う支持部用調整ネジと、各調整ネジの捩じ込み方向と反対方向に付勢する付勢バネとを備えることを特徴とする。
【００１８】
【発明の実施の形態】
図１に本発明の実施の形態にかかる光ディスクドライブの構成を示す。尚、図１（Ａ）は光ディスクドライブの平面図であり、図１（Ｂ）は光ディスクドライブの要部を矢印Ｘ方向に見た側面図であり、図１（Ｃ）は光ディスクドライブをラインＢ−Ｂ′から矢印Ｙ方向に見た断面図である。
【００１９】
図１に示す光ディスクドライブは、光ディスクに光を照射し情報の読取りもしくは書込みを行う光ピックアップ１と、光ディスクを回転駆動するディスク回転駆動部２と、光ピックアップ１をディスクの半径方向に駆動する光ピックアップ駆動部３と、主軸４ａ及び副軸４ｂからなる光ピックアップ１を支持する支持部と、主軸４ａと光ピックアップ駆動部３を載置するサブ基板部７と、サブ基板部７と副軸４ｂの一端の高さ調整をすることにより光ピックアップ１のチルト調整をするチルト調整機構部５′と、サブ基板部７と副軸４ｂとディスク回転駆動部２を載置する基板部６を備えている。尚、従来の構成と同じものは、同じ番号を付加し、説明を省略する。
【００２０】
サブ基板部７はサブ基板７ａとプラリベット７ｂとからなる。サブ基板７ａは、一端をプラリベット７ｂによって基板部６に取付けられており、他の一端ｅを上下動可能に基板部６に取付けられている。
支持部の主軸４ａは両端をサブ基板７ａに固定されており、副軸４ｂは一端ｂを上下動可能に基板部６に対して取付けられている。
【００２１】
チルト調整機構部５′は、副軸４ｂ及びサブ基板７ａの夫々の一端ｂ，ｅの高さを微調整することにより、副軸４ｂ及びサブ基板７ａのディスク面に対する角度調整を行うものであり、サブ基板７ａの角度調整を行うサブ基板用調整ネジ５ｅと、副軸４ｂの角度調整を行う副軸用チルト調整ネジ５ｂと、サブ基板７ａ及び副軸４ｂの前記他端に設けられている付勢バネ５ｆ，５ｄとを備えている。付勢バネ５ｆ，５ｄは、調整ネジ５ｅ，５ｂの締めつけ方向に対して反対方向に付勢するものであり、図１（Ｃ）においては、副軸４ｂ及びサブ基板７ａの前記一端ｂ，ｅ夫々を矢印＋Ｚ方向に付勢するものである。
【００２２】
上記の構成におけるディスクドライブのチルト調整方法について説明する。チルト調整機構部５´のサブ基板用調整ネジ５ｅと副軸用チルト調整ネジ５ｂの締付け具合を調整することにより、サブ基板７ａの一端ｅ及び副軸４ｂの一端ｂの高さ調整を行い、サブ基板７ａ及び副軸４ｂディスク面に対する角度調整がなされ、光ディスク面に対する光ピックアップ１のチルト調整がなされることになる。
【００２３】
ここで、サブ基板用調整ネジ５ｅにより、サブ基板７ａが角度調整されると、連結板バネ３ｂとリードスクリュー３ｄとは、サブ基板７ａと共に一体に動くことになる。従って、組立て時に、一旦最適となるように配置された連結板バネ３ｂとリードスクリュー３ｄとの位置関係は、その後のチルト調整によって変化することなく保たれる。よって、連結板バネ３ｂがリードスクリュー３ｄに与える側圧の変化による、光ピックアップ駆動部の最大応答周波数の低下を防ぐことができる。
【００２４】
尚、本実施の形態においては、副軸を基板部上の設けることにより、副軸とサブ基板部とのチルト調整を夫々独立に行った。しかしながら、サブ基板部、支持部、チルト調整機構部とを高精度に型形成することにより、主軸だけでなく副軸もサブ基板部上に設けて、支持部とチルト調整機構部とを一体に動くようにしてもよい。
【００２５】
【発明の効果】
以上説明したように、本発明によれば、ピックアップ駆動部の最大応答周波数に影響が生じることを防ぐことができる。
【図面の簡単な説明】
【図１】本発明の光ディスクドライブの構成を示す図。
【図２】従来の光ディスクドライブを示す図。
【図３】連結板バネ３ｂの凸部３ａとリードスクリュー３ｄの凹部３ｃとの係合を示す図
【図４】連結板バネがリードスクリューに与える圧力（側圧）と、光ピックアップ駆動部の応答速度（応答周波数）との関係を示す図。
【符号の説明】
１    光ピックアップ
３    光ピックアップ駆動部
３ｂ  連結板バネ
３ｄ  リードスクリュー
３ｅ  ステッピングモータ
４    支持部
４ａ  主軸
４ｂ  副軸
５、５´  チルト調整機構部
５ｂ  副軸用チルト調整ネジ
５ｃ、５ｄ、５ｆ  付勢バネ
５ｅ  サブ基板用調整ネジ
７ａ  サブ基板
【図１】
0003564269.tif 000002
【図２】
0003564269.tif 000003
【図３】
0003564269.tif 000004
【図４】
0003564269.tif 000005